(57)【要約】【課題】ナット全体を金属製のものとすることより、製作容易でコストの低減化が図られると共に、長年に亘り強度が低下することないインサートナットを提供する。【解決手段】金属製のナット本体２に、天井吊りボルト用のネジ孔６を形成すると共に、径大頭部２ａの下方には径大頭部２ａと共にデッキプレートＰ内に配置される本体軸部４を形成し、本体軸部４の下方にこれより径小の径小軸部５を形成し、径小軸部５には、横長帯板材７を筒状に丸めて上半部側に花弁状ストッパー部８を形成してなる金属製の筒状取付部材３を嵌合して溶接し、デッキプレートＰにはインサートナット取付孔９を設け、取付孔９には径小軸部５に溶接した筒状取付部材３を、花弁状ストッパー部８を弾性変形させることで挿通し、挿通後に弾性復元する花弁状ストッパー部８によって取付孔９からの径小軸部５の抜け出しを阻止するようにした。【選択図】図３
2014181460.tif 000002
【特許請求の範囲】
【請求項１】
上端部に平面視非円形状のアンカー用径大頭部を有する金属製のナット本体に、天井吊りボルト用のネジ孔を形成すると共に、前記径大頭部の下方には径大頭部と共にデッキプレート内に配置される本体軸部を形成し、本体軸部の下方にこれより径小の径小軸部を形成し、径小軸部には、横長帯板材を筒状に丸めてその上半部側に花弁状ストッパー部を形成してなる金属製の筒状取付部材を嵌合して溶接し、デッキプレートには、ナット本体の本体軸部より径小で、前記径小軸部に溶接した筒状取付部材の下半部側の外径より大きい内径のインサートナット取付孔を設け、この取付孔には、前記径小軸部に溶接した筒状取付部材を、前記花弁状ストッパー部を弾性変形させることで挿通し、挿通後に弾性復元する花弁状ストッパー部によって前記取付孔からの前記径小軸部の抜け出しを阻止するようにしたインサートナット。
【請求項２】
前記花弁状ストッパー部は、金属製横長帯板材の上半部側に凹溝と凸片とを交互に連続形成して、その各凸片を外側へ所定角度折り曲げた状態で前記横長帯板材を筒状に丸めることにより筒状取付部材の上半部側に形成される請求項１に記載のインサートナット。
【請求項３】
上端部にアンカー用径大頭部を有する金属製のナット本体に、天井吊りボルト用のネジ孔を形成すると共に、前記径大頭部の下方には径大頭部と共にコンクリート型枠又はデッキプレート内に配置される本体軸部を形成し、本体軸部の下方にこれより径小の径小軸部を形成し、径小軸部には、板材の中央部に径小軸部挿通孔とこの挿通孔の内周部複数箇所から下向きに一体に突出する断面円弧状の連結片とを設けてなる金属製ナット取付板の前記径小軸部挿通孔を嵌挿すると共に、前記連結片を前記径小軸部外周面に係合して溶接し、コンクリート型枠又はデッキプレートには、ナット本体の本体軸部より径小で、前記径小軸部に溶接した連結片の外径より大きい内径のインサートナット取付孔を設け、この取付孔に、連結片を溶接したナット本体の径小軸部を挿通し、ナット取付板をコンクリート型枠又はデッキプレートの上面に載置して釘等又はタッピングビスで固定するようにしたインサートナット。
【請求項４】
前記ナット取付板の径小軸部挿通孔及び断面円弧状の連結片は、ナット取付板を形成する金属製板材の中央部に切り抜き部と切り起こし部を設けることによって形成するようにした請求項３に記載のインサートナット。
【請求項５】
上端部にアンカー用径大頭部を有する金属製のナット本体に、天井吊りボルト用のネジ孔を形成すると共に、前記径大頭部の下方に本体軸部を形成し、本体軸部には、横長帯板材を筒状に丸めて形成した筒状部の一端部から複数の取付片を夫々直角で放射状に突設してなるナット取付部材の前記筒状部を、この筒状部が取付片の下側に位置するように嵌合して溶接し、デッキプレート又はコンクリート型には、本体軸部に溶接した前記筒状部の外径より大きい内径のインサートナット取付孔を設け、この取付孔には本体軸部に溶接した前記筒状部を挿通し、前記取付片をデッキプレート又はコンクリート型の上面に載置してタッピングビス又は釘等で固定するようにしたインサートナット。
【請求項６】
上端部にアンカー用径大頭部を有する金属製のナット本体に、天井吊りボルト用のネジ孔を形成すると共に、前記径大頭部の下方に本体軸部を形成し、本体軸部には、横長帯板材を筒状に丸めて形成した筒状部の一端部から複数の取付片を夫々直角で放射状に突設してなるナット取付部材の前記筒状部を、この筒状部が取付片の上側に位置するように嵌合して溶接し、コンクリート型枠又はデッキプレートには、本体軸部の外径より大きい内径のインサートナット取付孔を設け、この取付孔に本体軸部を挿通し、前記取付片をコンクリート型枠又はデッキプレートの上面に載置して釘等又はタッピングビスで固定するようにしたインサートナット。
【請求項７】
前記ナット取付部材を形成する横長帯板材と複数の取付片は、１枚の矩形状金属板材に切り抜き部と切り込み部を設けることによって形成するようにした請求項５又は６に記載のインサートナット。
【発明の詳細な説明】
【技術分野】
【０００１】
本発明は、コンクリート建物の天井部の構築に用いるデッキプレートやコンクリート型枠に取り付けて、天井下地用吊りボルトの上端部を固定するのに使用されるインサートナットに関するものである。
【背景技術】
【０００２】
従来のデッキプレート用インサートナットとして、特許公報等の公知文献を具体的に挙げることはできないが、従来より使用されているこの種のインサートナットとして、上端部にアンカー用径大頭部を形成すると共に吊りボルトの上端部が螺着される吊りボルト用ネジ孔を形成した金属製の内筒と、中間部に突設された鍔部の下方に周方向に複数に分割形成された分割片を有する拡縮可能な樹脂製の外筒とからなり、このインサートナットの使用にあたり、デッキプレートの所定箇所に設けた孔に外筒の鍔部下方を挿通させた後、外筒内に内筒をハンマーで軽く打ち込むことにより外筒の分割片の下部側を拡径させて、外筒の上端鍔部をデッキプレート上面に係止させると共に、内筒のアンカー用径大頭部下面部に内筒の上端を係止させ、それによって内外両筒をデッキプレートに固定するようにしたものがある。
【発明の概要】
【発明が解決しようとする課題】
【０００３】
上記従来のインサートナットは、金属製の内筒と樹脂製の外筒からなるものであるが、金属製の内筒は製作が比較的容易で安価であるのに対し、樹脂製外筒は製作に非常に手間がかかってコストが高くつき、結局インサートナットの価格が高くなり、加えて樹脂製の外筒は長年使用する間に、径年変化によって材質が劣化し、強度が低下するという問題があった。
【０００４】
本発明は、上記の事情に鑑み、ナット全体を金属製のものとすることにより、製作が容易でコストの低減化を図ることができると共に、長年に亘って強度が低下することなく、安全に使用できるインサートナットを提供することを目的としている。
【課題を解決するための手段】
【０００５】
上記課題を解決するための手段を、後述する実施形態の参照符号を付して説明すると、請求項１に係る発明のインサートナット１は、図２，図３に示すように、上端部に平面視非円形状のアンカー用径大頭部２ａを有する金属製のナット本体２に、天井吊りボルト用のネジ孔６を形成すると共に、前記径大頭部２ａの下方には径大頭部２ａと共にデッキプレートＰ内に配置される本体軸部４を形成し、本体軸部４の下方にこれより径小の径小軸部５を形成し、径小軸部５には、横長帯板材７を筒状に丸めてその上半部側に花弁状ストッパー部８を形成してなる金属製の筒状取付部材３を嵌合して溶接し、デッキプレートＰには、ナット本体２の本体軸部４より径小で、前記径小軸部５に溶接した筒状取付部材３の下半部側の外径より大きい内径のインサートナット取付孔９を設け、この取付孔９には、前記径小軸部５に溶接した筒状取付部材３を、前記花弁状ストッパー部８を弾性変形させることで挿通し、挿通後に弾性復元する花弁状ストッパー部８によって前記取付孔９からの前記径小軸部５の抜け出しを阻止するようにしたことを特徴とする。
【０００６】
請求項２は、請求項１に記載のインサートナット１において、前記花弁状ストッパー部８は、図１に示すように、金属製横長帯板材７の上半部側に凹溝７ｂと凸片７ａとを交互に連続形成して、その各凸片７ａを外側へ所定角度折り曲げた状態で前記横長帯板材７を筒状に丸めることにより筒状取付部材３の上半部側に形成されることを特徴とする。
【０００７】
請求項３に係る発明のインサートナット１１は、図４及び図５に示すように、上端部にアンカー用径大頭部１２ａを有する金属製のナット本体１２に、天井吊りボルト用のネジ孔１６を形成すると共に、前記径大頭部１２ａの下方には径大頭部１２ａと共にコンクリート型枠Ｋ又はデッキプレートＰ内に配置される本体軸部１４を形成し、本体軸部１４の下方にこれより径小の径小軸部１５を形成し、径小軸部１５には、板材１７の中央部に径小軸部挿通孔１７ａとこの挿通孔１７ａの内周部複数箇所から下向きに一体に突出する断面円弧状の連結片１７ｂとを設けてなる金属製ナット取付板１３の前記径小軸部挿通孔１７ａを嵌挿すると共に、前記連結片１７ｂを前記径小軸部１５外周面に係合して溶接し、コンクリート型枠Ｋ又はデッキプレートには、ナット本体２の本体軸部１４より径小で、前記径小軸部５に溶接した連結片１７ｂの外径より大きい内径のインサートナット取付孔１９を設け、この取付孔１９に、連結片１７ｂを溶接したナット本体２の径小軸部を挿通し、ナット取付板１３をコンクリート型枠Ｋ又はデッキプレートの上面に載置して釘１８等又はタッピングビスで固定するようにしたことを特徴とする。
【０００８】
請求項４は、請求項３に記載のインサートナット１１において、前記ナット取付板１３の径小軸部挿通孔１７ａ及び断面円弧状の連結片１７ｂは、図４に示すように、ナット取付板１３を形成する金属製板材１７の中央部に切り抜き部ａと切り起こし部ｂを設けることによって形成するようにしたことを特徴とする。
【０００９】
請求項５に係る発明のインサートナット２１は、図６及び図７に示すように、上端部にアンカー用径大頭部２２ａを有する金属製のナット本体２２に、天井吊りボルト用のネジ孔２６を形成すると共に、前記径大頭部の２２ａ下方に本体軸部２４を形成し、本体軸部２４には、横長帯板材２７ａを筒状に丸めて形成した筒状部２０の一端部から複数の取付片２７ｂを夫々直角で放射状に突設してなるナット取付板２３の前記筒状部２０を、この筒状部２０が取付片２７ｂの下側に位置するように嵌合して溶接し、デッキプレートＰ又はコンクリート型枠には、本体軸部２４に溶接した前記筒状部２０の外径より大きい内径のインサートナット取付孔２９を設け、この取付孔２９には本体軸部２４に溶接した前記筒状部２０を挿通し、前記取付片２７ｂをデッキプレートＰ又はコンクリート型枠の上面に載置してタッピングビス２８又は釘等で固定するようにしたことを特徴とする。
【００１０】
請求項６に係る発明のインサートナット３１は、図６及び図８に示すように、上端部にアンカー用径大頭部３２ａを有する金属製のナット本体３２に、天井吊りボルト用のネジ孔３６を形成すると共に、前記径大頭部３２ａの下方に本体軸部３４を形成し、本体軸部３４には、横長帯板材２７ａを筒状に丸めて形成した筒状部２０の一端部から複数の取付片２７ｂを夫々直角で放射状に突設してなるナット取付板３３の前記筒状部２０を、この筒状部２０が取付片２７ｂの上側に位置するように嵌合して溶接し、コンクリート型枠Ｋ又はデッキプレートＰには、本体軸部３４の外径より大きい内径のインサートナット取付孔３９を設け、この取付孔３９に本体軸部３４を挿通し、前記取付片２７ｂをコンクリート型枠Ｋ又はデッキプレートＰの上面に載置して釘３８等又はタッピングビスで固定するようにしたことを特徴とする。
【００１１】
請求項７は、請求項５又は６に記載のインサートナット２１，３１において、図６に示すように、前記ナット取付板２３，３３を形成する横長帯板材２７ａと複数の取付片２７ｂは、１枚の矩形状金属板材に切り抜き部ｅ，ｆと切り込み部ｇを設けることによって形成するようにしたことを特徴とする。
【発明の効果】
【００１２】
上記解決手段による発明の効果を、後述する実施形態の参照符号を付して説明すると、請求項１に係る発明のインサートナット１によれば、ナット本体２及び筒状取付部材３が金属製のものからなるため、製作が容易で、長年に亘って強度が低下することなく安全に使用できる。またこのインサートナット１は、ナット本体２の下端部側の径小軸部５を、デッキプレートＰのインサートナット取付孔９に対し上方より押し込むだけのワンタッチ操作で、デッキプレートＰの所定箇所に簡単に取り付けることができる。
【００１３】
請求項２に係る発明によれば、花弁状ストッパー部８は、横長帯板材７の上半部側に凹溝７ｂと凸片７ａとを交互に連続形成して、各凸片７ａを外側へ所定角度折り曲げた状態で横長帯板材７を筒状に丸めることによって、簡単且つ容易に形成することができる。
【００１４】
請求項３に係る発明のインサートナット１１も、前記インサートナット１と同じ様に、ナット本体１２及びナット取付板１３が金属製のものからなるため、製作が容易で、長年に亘って強度が低下することなく安全に使用できる。またこのインサートナット１１は、ナット本体１２の径小軸部１５をナット取付板１３の連結片１７ｂと共に、コンクリート型枠Ｋ又はデッキプレートのインサートナット取付孔１９に挿通して、ナット取付板１３を型枠Ｋ又はデッキプレートの上面に釘１８やビス又はタッピングビスで固定すればよいから、型枠Ｋ又はデッキプレートに対し簡単容易に取り付けることができる。特に、このインサートナット１１は、ナット取付板１３の連結片１７ｂをナット本体１２の径小軸部１５に溶接し、板材１７自体をコンクリート型枠Ｋ又はデッキプレートに固定するから、取り付けた状態で回転せず、浮き上がることもない。
【００１５】
請求項４に係る発明によれば、前記インサートナット１１において、ナット取付板１３の径小軸部挿通孔１７ａ及び断面円弧状の連結片１７ｂは、金属製板材１７の中央部に切り抜き部ａと切り起こし部ｂを設けることによって、簡単容易に形成できる。
【００１６】
請求項５に係る発明のインサートナット２１も、インサートナット１，１１と同様に、ナット本体２２及びナット取付板２３が金属製のものからなるため、製作が容易で、長年に亘って強度が低下することなく安全に使用できる。またこのインサートナット２１は、ナット本体２２の本体軸部２４を、この本体軸部２４に嵌合溶接した筒状部２０と共に、デッキプレートＰ又はコンクリート型枠のインサートナット取付孔２９に挿通して、筒状部２０から放射状に直角に突出する複数の取付片２７ｂをデッキプレートＰ又はコンクリート型枠の上面に載置してタッピングビス２８又は釘やビスで固定すればよいから、デッキプレートＰ又はコンクリート型枠への取付けを簡単にして且つ的確に行なえる。特に、このインサートナット２１は、ナット取付板２３の筒状部２０をナット本体２２の本体軸部２４に溶接し、取付片２７ｂをデッキプレートＰ又はコンクリート型枠に対し固定するから、取り付けた状態で回転せず、浮き上がることもない。
【００１７】
請求項６に係る発明のインサートナット３１も、インサートナット１〜２１と同様に、ナット本体３２及びナット取付板３３が金属製のものからなるため、製作が容易で、長年に亘って強度が低下することなく安全に使用できる。またこのインサートナット３１は、筒状部２０が取付片２７ｂの上側に位置するようにこの筒状部２０をナット本体３２の本体軸部３４に嵌合して溶接してなるもので、本体軸部３４をその下端部よりコンクリート型枠Ｋ又はデッキプレートの取付孔３９に挿通し、各取付片２７ｂを型枠Ｋ上面に載置して釘３８やビス又はタッピングビスで固定すればよいから、製作が容易であると共に、コンクリート型枠Ｋ又はデッキプレートへの取付けも簡単容易となる。このインサートナット３１も、ナット取付板３３の筒状部２０をナット本体３２の本体軸部３４に溶接し、取付片２７ｂをデッキプレートＰ又はコンクリート型枠に対し固定するから、取り付けた状態で回転せず、浮き上がることもない。
【００１８】
請求項７に係る発明によれば、前記インサートナット２１又は３１に使用するナット取付板２３，３３は、これを形成する横長帯板材２７ａ及び複数の取付片２７ｂは、１枚の矩形状金属板材に切り抜き部ｅ，ｆと切り込み部ｇを設けることにより、その製作が簡単容易となる。
【図面の簡単な説明】
【００１９】
【図１】(a-1) は本発明に係るインサートナットのナット本体の正面図、(a-2) はナット本体の平面図、(b-1) は横長帯板材の正面図、(b-1) はその側面図、(c-1)は横長帯板材の上半部に形成した凸片を所定角度折り曲げた状態の正面図、(c-2) はその側面図、(d) は横長帯板材を筒状に丸めて上半部に花弁状ストッパーを形成した筒状取付部材の正面図、(e) はナット本体の径小軸部に筒状取付部材を取り付けて形成したインサートナットの正面図である。
【図２】同上のインサートナットをデッキプレートに取り付ける状態を説明する説明図である。
【図３】デッキプレートのコンクリートに埋設されたインサートナットのネジ孔に吊りボルトを螺入しようとする状態を説明する説明図である。
【図４】(a-1) は本発明の他のインサートナットのナット取付板の中央部に切り抜き部と切り起こし部を設けた状態の平面図、(a-2) は正面図、(b-1) は切り起こし部を下向きにきり起こした状態のナット取付板の平面図、(b-2) は正面図である。
【図５】図４に示すナット取付板をナット本体に取り付けてなるインサートナットをコンクリート型枠に取り付けた状態の正面図である。
【図６】(a) は平面状に展開されたナット取付部材の平面図、(b) は(a) のナット取付部材を使用時の立体形状にした時の平面図である。
【図７】図６の(b) に示す立体形状のナット取付部材をナット本体に取り付けてなるインサートナットをデッキプレートに取り付けた状態の斜視図である。
【図８】図６の(b) に示す立体形状のナット取付部材を上下を逆にしてナット本体に取り付けたインサートナットを、コンクリート型枠に取り付けた状態の斜視図である。
【発明を実施するための形態】
【００２０】
以下に本発明の好適な一実施形態を図面に基づいて説明すると、図１〜図３に示すインサートナット１は、夫々金属製のナット本体２と筒状取付部材３とからなる。ナット本体２は、図１の(a-1) 、(a-2) に示すように、上端部に平面視六角形のアンカー用径大頭部２ａを形成した本体軸部４と、この本体軸部４の下方に同軸一体に延びる、本体軸部４より径小の径小軸部５とからなるもので、径小軸部５の下端から本体軸部４にわたって天井吊りボルト用のネジ孔６が形成され、そして上端部にアンカー用径大頭部２ａを形成した本体軸部４がデッキプレートＰ内に配置されるようになっている。
【００２１】
筒状取付部材３は、横長帯板材７を筒状に丸めてその上半部側に花弁状ストッパー部８を形成してなるもので、これの製作にあたっては、図１の(b-1) ，(b-2) に示すように、金属製の横長帯板材７の上半部側に凸片７ａと凹溝７ｂとを交互に連続形成しておいて、(c-1) ，(c-2) に示すように横長帯板材７の各凸片７ａを外側へ所定角度（例えば２０°）に折り曲げた後、この横長帯板材７を筒状に丸めることによって、(d) に示すように筒状取付部材３を形成すると共に、その上半部側に花弁状ストッパー部８を形成する。この時、筒状取付部材３の内径は、ナット本体２の径小軸部５の外径よりも小さくする。これは、筒状取付部材３をナット本体２の径小軸部５に嵌合した時に、筒状取付部材３が径小軸部５に対し締まり嵌め状態となるようにするためである。
【００２２】
その後、上記筒状取付部材３をナット本体２の径小軸部５に締まり嵌め状態に嵌合し、この状態で筒状取付部材３の下半部側を径小軸部５にスポット溶接して固着し、これにより図１の(e) に示すようなインサートナット１が完成する。この場合、ナット本体２の本体軸部４の下端と筒状取付部材３の上端との間隙αは、デッキプレートＰの厚みｔ（図２参照）より僅かに大きくする。またこの場合、筒状取付部材３は径小軸部５に対し締まり嵌め状態で保持されているから、その間隙αの調整が容易であると共に、その後の径小軸部５に対するスポット溶接が容易となる。
【００２３】
図２及び図３はインサートナット１をデッキプレートＰに取り付ける態様を示したもので、デッキプレートＰにはインサートナット１の取付箇所に、ナット本体２の本体軸部４より径小で、径小軸部５に溶接した筒状取付部材３の下半部側（花弁状ストッパー部８を形成していない部分）の外径より僅かに大きい内径のインサートナット取付孔９が設けられる。しかして、図２に示すように、ナット本体２の径小軸部５に溶接した筒状取付部材３を、その下端部側よりインサートナット取付孔９に押し込むと、上部側の花弁状ストッパー部８は、縮径しながらインサートナット取付孔９を通過し、通過後は弾性復元して、この花弁状ストッパー部８を形成する各凸片７ａの上端がデッキプレートＰ下面のインサートナット取付孔９の周片部に当接すると共に、本体軸部４の下端面にデッキプレートＰの取付孔９の周辺部上面が当接して、この取付孔９からの径小軸部５の抜け出しが阻止された状態で、インサートナット１がデッキプレートＰに取り付けられる。
【００２４】
上記のように、このインサートナット１は、ナット本体２の下端部側の径小軸部５を、デッキプレートＰのインサートナット取付孔９に対してその上方より押し込むだけのワンタッチ操作で、図２及び図３に示すようにデッキプレートＰの所定箇所に取り付けることができる。こうしてインサートナット１をデッキプレートＰに取り付けた後、図３に示すように、デッキプレートＰにはコンクリートＳが打設される。そして、コンクリートＳが固化した後に、天井下地材としての吊りボルト１０の上端部がインサートナット１のネジ孔６にネジ込まれる。また、このインサートナット１は、ナット本体２及び筒状取付部材３が金属製のものからなるため、製作が容易で、長年に亘って強度が低下することなく、安全に使用することができる。
【００２５】
図４及び図５は本発明に係る他のインサートナット１１を示し、このインサートナット１１は、ナット本体１２とナット取付部材１３とからなる。ナット本体１２は、上端部に平面視非円形状のアンカー用径大頭部１２ａを有する本体軸部１４と、この本体軸部４１の下方に同軸一体に延びる、本体軸部１４よりも径小の径小軸部１５とからなるもので、径小軸部１５の下端から本体軸部１４にわたって天井吊りボルト用のネジ孔１６が形成され、そして上端部にアンカー用径大頭部１２ａを有する本体軸部１４がコンクリート型枠Ｋ内に配置されるようになっている。
【００２６】
ナット取付部材１３は、図４に示すように、平面視楕円形の金属製板材１７の中央部に径小軸部挿通孔１７ａを設けると共に、この挿通孔１７ａの内周部の径方向対向位置から下向きに一体に突出する両側一対の連結片１７ｂ，１７ｂを設けてなるもので、両連結片１７ｂ，１７ｂは、図４の(b-1) に示すように、夫々、横断面円弧状に形成されていて、径小軸部挿通孔１７ａに挿通されるナット本体１２の径小軸部１５外周面に両側から係合するようになっている。また板材１７の両端部にビス挿通孔１７ｃが設けられている。
【００２７】
上記ナット取付板１３において、板材１７の中央部に径小軸部挿通孔１７ａ及び連結片１７ｂを形成するには、図４の(a-1) ，(a-2) に示すように、板材１７の中央部に切り抜き部ａと切り起こし部ｂを設けることにより簡単に形成することができる。即ち、この場合、径小軸部挿通孔１７ａを形成しようとする円形部内の両側に切り抜き部ａ，ａを形成し、両切り抜き部ａ，ａ間の中央部に縦の切り込み部（切り込み線）ｃを形成し、更に径小軸部挿通孔１７ａの円形部に沿った切り込み部ｂの両側対称位置に折り目ｄ，ｄを形成すれば、切り抜き部ａ，ａと切り込み部ｃとによって形成される切り起こし部ｂ，ｂを夫々下方へ引き起こすことにより、図４の(b-1) ，(b-2) に示すような、板材１７の中央部の径小軸部挿通孔１７ａと、この挿通孔１７ａの内周部の径方向対向位置から下向きに一体に突出する両側一対の連結片１７ｂ，１７ｂとを簡単に形成することができる。
【００２８】
上記のように形成されるナット取付部材１３をナット本体１２に一体的に組み付ける。即ち、ナット本体１２の径小軸部１５をナット取付部材１３の径小軸部挿通孔１７ａにその根元まで挿通させると共に、この挿通孔１７ａの内周部の径方向対向位置から下向きに突設された両連結片１７ｂ，１７ｂを径小軸部１５の外周面両側に係合させ、この状態で各連結片１７ｂを径小軸部１５の外周面部にスポット溶接することによって、ナット取付部材１３をナット本体１２に一体的に組み付け、これにより図５に示すようなインサートナット１１を完成する。図５はコンクリート型枠Ｋにコンクリートが打設された後の状態を示している。
【００２９】
このインサートナット１１を、コンクリート打設前の型枠Ｋに取り付けるにあたって、この型枠Ｋには、図５に示すように、ナット本体１２の本体軸部１４より径小で、径小軸部１５に溶接された連結片１７ｂ，１７ｂの外径より大きい内径のインサートナット取付孔１９を設けておいて、この取付孔１９に、同図に示すようにナット本体１２の径小軸部１４を連結片１７ｂ，１７ｂと共に挿通し、ナット取付板１３をコンクリート型枠Ｋ上面に載置した状態で、ナット取付板１３のビス挿通孔１７ｃから型枠Ｋに釘１８を打ち込むことにより、ナット取付板１３を型枠Ｋに固定する。尚、釘１８に代えて、ビスを使用することもできる。
【００３０】
上記のように、このインサートナット１１は、ナット本体１２の径小軸部１５を型枠Ｋインサートナット取付孔１９に上方より挿通して、ナット取付板１３を型枠Ｋ上面に載置した状態で、ナット取付板１３を型枠Ｋに対し釘１８（又はビス）止めすればよいから、型枠Ｋの所定箇所に簡単にして且つ的確に取り付けることができる。こうしてインサートナット１１を型枠Ｋに取り付けた後、図５に示すように、型枠ＫにはコンクリートＳが打設される。そして、コンクリートＳの固化後、天井下地材としての吊りボルト１０の上端部をナット本体１２のネジ孔１６にネジ込めばよい。
【００３１】
上述した図４及び図５に示すインサートナット１１は、前記インサートナット１と同様に、ナット本体１２及びナット取付板１３が金属製のものからなるため、製作が容易で、長年に亘って強度が低下することなく安全に使用できる。またこのインサートナット１１は、ナット本体１２の径小軸部１５をナット取付板１３の連結片１７ｂと共に、コンクリート型枠Ｋのインサートナット取付孔１９に挿通して、ナット取付板１３を型枠Ｋの上面に釘１８やビス又はタッピングビスで固定すればよいから、型枠Ｋに対し簡単容易に取り付けることができる。特に、このインサートナット１１は、ナット取付板１３の連結片１７ｂをナット本体１２の径小軸部１５に溶接し、板材１７自体をコンクリート型枠Ｋに固定するから、取り付けた状態で回転せず、浮き上がることがなく、従ってコンクリート打設時に位置がズレたりする不都合がなくなる。またナット本体１２は、アンカー用径大頭部１２ａは、平面視円形のものでもよいから、安価なものを使用できる。尚、このインサートナット１１は、コンクリート型枠Ｋに限らず、デッキプレートＰにも使用できる。
【００３２】
図６は、図７及び図８に示されるインサートナット２１，３１のナット本体２２の本体軸部２４に取り付けて使用するナット取付板２３，３３の構造を示している。尚、ナット取付板２３とナット取付板３３とは、上下が逆になるだけで全く同じ構造である。
【００３３】
ナット取付板２３（３３）は、図６の(a) 〜(c) 及び図７を参照すれば分かるように、金属製の横長帯板材２７ａを筒状に丸めて形成した筒状部２０の一端部から複数の（この場合、４つの）取付片２７ｂ・・・を夫々直角で放射状に突設することにより形成されるもので、各取付片２７ｂにはビス挿通孔２５を設けている。図７に示すインサートナット２１は、上端部にアンカー用径大頭部２２ａを形成した本体軸部２４とからなるもので、本体軸部２４には天井吊りボルト用のネジ孔２６が形成されている。また図８にインサートナット３１は、上端部にアンカー用径大頭部３２ａを形成した本体軸部３４とからなるもので、本体軸部３４には天井吊りボルト用のネジ孔３６を形成している。
【００３４】
上記ナット取付板２３（３３）を形成するには、図６の(a) に示すように、１枚の横長矩形状の金属板材２７の上部側を横長帯板材２７ａとして、この横長帯板材２７ａの下辺沿いに複数の略１／２円（半円）形の切り抜き部ｅ及び略１／４円形の切り抜き部ｆを一定間隔におきに設け、１／４円状切り抜き部ｆは両端に設けて、その間に複数（３つ）の１／２円状切り抜き部ｅを設け、横長矩形状板材２７の下半部側には各１／２円状切り抜き部ｅの中心部から横長矩形状板材２７の下辺に亘ってこの下辺と垂直に延びる切り込み線（切り込み部）ｇを入れることにより、横長帯板材２７ａに隣接してこれと直交する複数の（この場合、４つの）取付片２７ｂ・・・を形成する。しかして、各取付片２７ｂを横長帯板材２７ａに対し外側へ直角に折り曲げ、その後に横長帯板材２７ａを丸めることにより、図６の(b) 及び図７に示すように、筒状部２０とこれの一端部（この場合は上端部）から夫々直角で放射状に突出する複数の（４つの）取付片２７ｂ・・・とからなるナット取付板２３を簡単に形成することができる。
【００３５】
尚、横長帯板材２７ａを丸めて筒状部２０を形成する時には、その筒状部２０の内径がナット本体２２の本体軸部２４の外径よりも僅かに小さくなるように筒状部２０を形成する。これは、筒状部２０をナット本体２２の本体軸部２４に嵌合した時に、筒状部２０が本体軸部２４に対し締まり嵌め状態となるようにするためである。
【００３６】
図７に示すインサートナット２１の場合には、ナット取付板２３の筒状部２０を、この筒状部２０が取付片２７ｂの下側に位置して、各取付片２７ｂがナット本体２２のアンカー用径大頭部２２ａの下面に当接するようにナット本体２２の本体軸部２４に嵌合して、この筒状部２０を本体軸部２４の外周面にスポット溶接することにより、インサートナット２１を形成するようにしたものである。そして、このインサートナット２１を、図７に示すようにデッキプレートＰに取り付けるわけであるが、デッキプレートＰには所定箇所に、本体軸部２４の外周面に嵌合して溶接された筒状部２０の外径より大きい内径のインサートナット取付孔２９が設けられる。従って、取付けにあたっては、デッキプレートＰのインサートナット取付孔２９にインサートナット２１の本体軸部２４を前記筒状部２０と共に挿通して、各取付片２７ｂをデッキプレートＰ上面に載置し、そして取付片２７ｂのビス挿通孔２５からデッキプレートＰに対しタッピングビス２８をねじ込むことによって、インサートナット２１をデッキプレートＰに簡単に取り付けることができる。特に、このインサートナット２１は、ナット取付板２３の筒状部２０をナット本体２２の本体軸部２４に溶接し、取付片２７ｂをデッキプレートＰ又はコンクリート型枠に対し固定するから、取り付けた状態で回転せず、浮き上がることもない。従って、コンクリート打設時に位置がズレたりする不都合がない。またナット本体２２としては、アンカー用径大頭部１２ａが平面視円形のものでもよいから、安価なものを使用できる。
【００３７】
図７にはインサートナット２１をデッキプレートＰに取り付ける場合を示しているが、このインサートナット２１は、図７に示す使用形態のままでコンクリート型枠Ｋに取り付けて使用することもできる。その場合、ナット取付板２３の取付片２７ｂは、型枠Ｋに対し釘またはビスで取り付ければよい。
【００３８】
図８に示すように、ナット取付板３３を使用してインサートナット３１をコンクリート型枠Ｋに取り付ける場合は、ナット取付板２３を、図７に示すインサートナット２１の場合とは上下を逆にした状態で、筒状部２０が取付片２７ｂの上側に位置するようにその筒状部２０をナット本体３２の本体軸部３４に嵌合して、筒状部２０を本体軸部３４に嵌合して、この筒状部２０を本体軸部３４の外周面にスポット溶接することにより、インサートナット３１を形成する。そして、本体軸部３４をコンクリート型枠Ｋに設けてあるインサートナット取付孔３９に嵌挿し、各取付片２７ｂを型枠Ｋ上面に載置して、釘３８をビス取付片２７ｂのビス挿通孔２５から型枠Ｋにねじ込むことによって、インサートナット３１をコンクリート型枠Ｋに簡単に取り付けることができる。このインサートナット３１も、ナット取付板３３の筒状部２０をナット本体３２の本体軸部２４に溶接し、取付片２７ｂをコンクリート型枠Ｋに対し固定するから、取り付けた状態で回転せず、浮き上がることもない。
【００３９】
また図８には、インサートナット３１をコンクリート型枠Ｋに取り付ける場合を示しているが、このインサートナット３１は、図８に示す使用形態のままでデッキプレートＰに取り付けて使用することができる。
【符号の説明】
【００４０】
１            インサートナット
２            ナット本体
２ａ          径大と同部
３            筒状取付部材
４            本体軸部
５            径小軸部
７            横長帯板材
８            花弁状ストッパー部
９            インサートナット取付孔
１０          天井吊りボルト
１１          インサートナット
１２          ナット本体
１３          ナット取付板
１４          本体軸部
１５          径小軸部
１７          板材
１７ａ        径小軸部挿通孔
１７ｂ        連結片
１８          釘
１９          インサートナット取付孔
２０          筒状部
２１          インサートナット
２２          ナット本体
２３          ナット取付板
２４          本体軸部
２５          ビス挿通孔
２８          タッピングビス
２９          インサートナット取付孔
３１          インサートナット
３２          ナット本体
３３          ナット取付板
３４          本体軸部
３６          天井吊りボルト用ネジ孔
３９          インサートナット取付孔
【図１】
2014181460.tif 000003
【図２】
2014181460.tif 000004
【図３】
2014181460.tif 000005
【図４】
2014181460.tif 000006
【図５】
2014181460.tif 000007
【図６】
2014181460.tif 000008
【図７】
2014181460.tif 000009
【図８】
2014181460.tif 000010